(57)【特許請求の範囲】
【請求項１】
入力信号に基づきディスク面に信号を記録する記録手段と、
上記記録手段の少なくとも上記ディスク面に対する記録位置の移動を制御するサーボ手段と、
上記記録手段による上記ディスク面への上記記録中のトラックジャンプの有無を検出する検出手段と、
上記検出手段により上記トラックジャンプが検出されたときには、少なくとも上記ディスク面への記録動作が可能になるまで入力される信号を保持し得る記憶手段と、
上記検出手段の検出結果に基づき、上記トラックジャンプに対応する上記ディスク面上のアドレス情報を保持し、上記トラックジャンプの終了時に、上記トラックジャンプ前後のアドレスデータの連続性が保たれるように上記サーボ手段によりサーボ制御をかけた状態で上記記録手段を記録再開位置に移動させて入力信号の記録を再開させ、連続して入力される一連の上記入力信号の上記記録手段による記録動作が終了した後に、上記トラックジャンプに対応するディスク面上のアドレス情報に基づき、上記ディスク面上の記録位置が上記トラックジャンプ前後の上記ディスク面上の記録位置と連続する状態で、上記記憶手段に保持された上記入力信号を上記ディスク面に記録するべく上記記録手段を移動させるように上記サーボ手段を制御する制御手段と
を備えてなることを特徴とするディスク記録装置。
【発明の詳細な説明】
【０００１】
【産業上の利用分野】
この発明は、デイスク記録装置、特に光デイスク、光磁気デイスクのような記録媒体にデータを記録するデイスク記録装置に関する。
【０００２】
【従来の技術】
デイスク記録装置、例えば、光デイスク、光磁気デイスク等の記録媒体にデータを記録する記録装置では、記録媒体への信号の記録・再生が機械的に非接触でなされる。記録・再生が機械的に非接触でなされているため、ピックアップの長寿命化、信頼性の向上に寄与している。
【０００３】
しかしながら、その反面、外部からの振動、衝撃等によって、トラックジャンプを起こす可能性がある。若し、記録動作中にトラックジャンプが発生すると、記録済みのデータを破壊したり、或いは消去してしまうことがある。
【０００４】
そこで、従来の技術では、記録済みのデータの破壊、誤消去を防止するため、記録中にトラックジャンプが発生した場合には、記録動作を一旦、中断し再度、記録し直すことが行われていた。
【０００５】
また、デイスクの盤面上に欠陥があるために、記録したデータを高い信頼性〔エラーの無い状態〕で再生できないような場合、記録すべきデータを予め用意されたエリア、いわゆる交替エリアに記録すること〔以下、交替処理と称する〕が行われることもあった。
【０００６】
【発明が解決しようとする課題】
上述のようなトラックジャンプの発生或いは交替処理によって、記録動作を一旦中断し、再び記録し直す場合には、入力されるデータの供給を停止し得ることが望ましい。しかしながら、データの種類によっては、入力されるデータの供給を停止することが困難若しくは不可能な場合がある。
【０００７】
このような場合には、記録動作が中断されている期間、入力されるデータが記録されることなく失われてしまうという問題点があった。
【０００８】
例えば、デジタルオーデイオデータ〔以下、オーデイオデータと称する〕は、所定のサンプリング周期に従って連続的に入力されるためオーデイオデータの供給を任意に止めることはできない。
【０００９】
このため、上述のように記録動作を中断した場合には、中断した期間のオーデイオデータが失われてしまうものであった。勿論、従来のデイスク記録装置にもメモリは使用されているが、このメモリは主に信号処理用であり、オーデイオデータの蓄積を目的としているものではない。オーデイオデータを蓄積するには、膨大なメモリ容量が必要とされるからである。
【００１０】
そこで、記録動作の中断或いは交替処理が行われても、オーデイオデータを確実に記録するため、データ転送レートに比して十分高速に、記録・再生動作、シーク動作等が可能なデイスク記録装置を用いることも考えられる。しかしながら、技術的に困難であることと、大幅なコストアップが予測されるという問題点があった。
【００１１】
ところで、本願出願人の提案に係る特開平３−３１６５号公報では、トラックジャンプが発生しても連続した再生出力を得ることのできる光デイスク再生装置が開示されている。
【００１２】
この従来技術によれば、光スポットがトラックジャンプしても、メモリ手段に前もって記憶されたデジタルデータを、第１のマスタクロックに基づいて読出し続けることにより、中断することなく再生出力を得られる。
【００１３】
更に、光スポットを復帰せしめた後、所定期間、第１のマスタクロックよりも周波数の高い第２のマスタクロックに基づいて光デイスクを第１の速度より速い第２の速度にて回転させ、光デイスクからデジタルデータを再生して第２のマスタクロックに基づいてメモリ手段に書き込む。このため、トラックジャンプから復帰するのに要した期間にメモリ手段から読出され蓄えがなくなった分のデジタルデータがメモリ手段に速やかに補充される。
【００１４】
上述の従来技術では、光デイスクを再生する場合には問題はないが、光デイスクに信号を記録しようとする場合には、例えば、以下のような問題を解決しなければならない。
【００１５】
まず、トラックジャンプが発生した時には記録動作が中断され、その後に再び記録動作が再開されるが、トラックジャンプ発生時に既に記録されているオーデイオデータの破壊を防ぎ、且つ未記録のデータを失わないないようにするための対策が必要である。
【００１６】
次いで、記録したデータの品質に問題があるため長期にわたってのデータの信頼性に不安がある時、或いは光デイスクのデイスク面に欠陥がある時の対策が必要である。
【００１７】
従って、この発明の目的は、トラックジャンプが発生しても、また、光デイスクのデイスク面に欠陥が存在していても、データを失うことなく確実にデータを記録し得るデイスク記録装置を提供することにある。
【００１８】
【課題を解決するための手段】
この発明は、上述した課題を解決するために、入力信号に基づきディスク面に信号を記録する記録手段と、記録手段の少なくともディスク面に対する記録位置の移動を制御するサーボ手段と、記録手段によるディスク面への記録中のトラックジャンプの有無を検出する検出手段と、検出手段によりトラックジャンプが検出されたときには、少なくともディスク面への記録動作が可能になるまで入力される信号を保持し得る記憶手段と、検出手段の検出結果に基づき、トラックジャンプに対応するディスク面上のアドレス情報を保持し、トラックジャンプの終了時に、トラックジャンプ前後のアドレスデータの連続性が保たれるようにサーボ手段によりサーボ制御をかけた状態で記録手段を記録再開位置に移動させて入力信号の記録を再開させ、連続して入力される一連の入力信号の記録手段による記録動作が終了した後に、トラックジャンプに対応するディスク面上のアドレス情報に基づき、ディスク面上の記録位置がトラックジャンプ前後のディスク面上の記録位置と連続する状態で、記憶手段に保持された入力信号をディスク面に記録するべく記録手段を移動させるようにサーボ手段を制御する制御手段とを備えてなることを特徴とするディスク記録装置である。
【００１９】
【作用】
この発明では、ディスク面への記録中のトラックジャンプの有無を検出し、トラックジャンプが検出されたときには、少なくともディスク面への記録動作が可能になるまで入力される信号が記憶手段に保持される。
【００２０】
そして、トラックジャンプが検出されると、トラックジャンプに対応するディスク面上のアドレス情報を保持し、連続して入力される一連の入力信号の記録動作が終了した後に、トラックジャンプに対応するディスク面上のアドレス情報に基づき、ディスク面上の記録位置がトラックジャンプ発生直前およびトラックジャンプ収束直後のディスク面上の記録位置と連続する状態で、記憶手段に保持された入力信号をディスク面に記録するように記録手段が制御される。
【００２１】
そのため、トラックジャンプが検出されたときには、トラックジャンプが収束しディスク面への記録が可能になるまで入力信号が記憶手段に保持されると共に、トラックジャンプに対応するディスク面上のアドレス情報が保持される。
【００２２】
連続して入力される一連の入力信号の記録動作が終了すると、トラックジャンプに対応するディスク面上のアドレス情報に基づき、ディスク面上の記録位置がトラックジャンプ発生直前および収束直後のディスク面上の記録位置と連続するように、記憶手段に保持された入力信号がディスク面上に記録されるため、トラックジャンプ中の入力信号がディスク面上の本来記録されるべき領域に記録される。
【００２３】
【実施例】
以下、この発明の一実施例について図１乃至図８を参照して説明する。尚、この一実施例の説明では、光デイスク記録装置を例に説明している。
【００２４】
図１は、この発明に適用し得るシステムの構成を示す図である。
まず、記録系について説明する。
図１の構成に於いて、端子２１を介して供給されるオーデイオデータ或いはメモリ１４ａから切替スイッチ１８を介して供給されるオーデイオデータは、記録済みデータを編集するためのクロスフェーダ１０を介して、端子２２、切替スイッチ１９の端子１９ｃ、メモリ１４ｂ等に供給される。
【００２５】
メモリ１４ｂに供給されるオーデイオデータは、後述するメモリコントローラ１５の制御によってメモリ１４ｂに記録される。従って、メモリ１４ｂには、記録動作時にオーデイオデータが一時的に記憶される。
【００２６】
クロスフェーダ１０或いはメモリ１４ｂから出力されるオーデイオデータは、切替スイッチ１９によって選択され、エンコーダ１１に供給される。
【００２７】
エンコーダ１１では、オーデイオデータにインターリーブ、エラー訂正符号の付加等が施されて記録データが形成される。該記録データは、変調回路１２に供給される。
【００２８】
変調回路１２では、上述の記録データに対して所定の変調が施されて変調信号が形成される。該変調信号は、レーザコントロール回路１３に供給される。
【００２９】
レーザコントロール回路１３では、後述するトラックジャンプ検出回路４及び／またはシステムコントローラ１６からの制御信号に基づいて、ピックアップ２に設けられているレーザダイオードの駆動制御及び、該レーザダイオードから出力されるレーザ光のレベル制御がなされる。
【００３０】
レーザコントロール回路１３では、記録動作時に、変調回路１２から供給される変調信号に基づいてレーザダイオードを駆動する変調駆動信号が形成される。また、このレーザコントロール回路１３では、再生動作時には、再生に必要なレベルのレーザ光を出力させるために駆動信号が形成される。該変調駆動信号及び駆動信号は、ピックアップ２に供給される。
【００３１】
ピックアップ２では、記録動作時には上述の変調駆動信号に基づいて、また、再生動作時には駆動信号に基づいて、図示せぬレーザダイオードが駆動制御される。そして、このレーザダイオードから出力されるレーザ光が、ピックアップ２内部に設けられている光学系を介して光デイスク１のデイスク面１ａに照射される。これにより、レーザ光のレベルが記録レベルである場合、データのデイスク面１ａへの記録がなされる。
【００３２】
また、ピックアップ２では、後述するサーボ回路３によって、トラッキング制御、フォーカス制御、スレッダ制御等のサーボ制御がなされる。
【００３３】
この記録動作が行われている時、ピックアップ２から光デイスク１のデイスク面１ａに照射されたレーザ光は反射され、ピックアップ２内部に設けられているフオトダイオードによって変調信号に変換される。該変調信号は復調回路６、アドレス検出回路８、サーボ回路３に供給される。
【００３４】
アドレス検出回路８では、光デイスク１のデイスク面１ａに予め記録されているアドレスデータが検出される。該アドレスデータは、システムコントローラ１６、メモリコントローラ１５に夫々、供給される。
【００３５】
次いで、再生系について説明する。
ピックアップ２から光デイスク１のデイスク面１ａに照射されたレーザ光は反射され、ピックアップ２内部に設けられているフオトダイオードによって変調信号に変換される。該変調信号は復調回路６、アドレス検出回路８、サーボ回路３に供給される。
【００３６】
ピックアップ２は、詳細には図示せぬものの記録と並行して再生をも行なえるものである。これは、１個の対物レンズで記録及び再生の双方を行っても良く、或いは記録系及び再生系の夫々に対応して光学系を設けてもよい。
【００３７】
復調回路６では、再生された変調信号が復調され記録データが再生される。この記録データは、デコーダ７に供給される。
【００３８】
アドレス検出回路８では、光デイスク１のデイスク面１ａに予め記録されているアドレスデータが検出される。このアドレスデータは、システムコントローラ１６、メモリコントローラ１５に夫々、供給される。
【００３９】
デコーダ７では、オーデイオデータに付加されているエラー訂正符号に基づいて、エラー検出、エラー訂正、更にデインターリーブ等がなされる。このエラー検出、エラー訂正等が施されてなるオーデイオデータは切替スイッチ１８の端子１８ａ、メモリ１４ａに供給される。また、デコーダ７に於けるエラー検出の結果がエラー状態検出回路９に供給される。
【００４０】
メモリ１４ａに供給されるオーデイオデータは、後述するメモリコントローラ１５及び／またはシステムコントローラ１６の制御によって、メモリ１４ａに記録される。メモリ１４ａには再生時、交替処理のためのオーデイオデータが一時的に記憶される。
【００４１】
エラー状態検出回路９では、デコーダ７にてなされたエラー検出の結果がモニタされている。そして、エラー検出の結果が、所定レベルよりも悪化すると、交替処理要求信号がシステムコントローラ１６に供給される。
【００４２】
サーボ回路３は、ピックアップ２、モータ２０に対してサーボ制御を行っている。即ち、ピックアップ２に対してはフォーカス制御、トラッキング制御、スレッダ制御等を行い、また、モータ２０に対しては光デイスク１のＣＬＶ制御を行っている。
【００４３】
サーボ回路３には、所定のサーボ制御を行うため、ピックアップ２からトラッキングエラー信号ＳＴＲ、和信号等が供給され、また、システムコントローラ１６から制御信号が供給されている。
【００４４】
サーボ回路３では、システムコントローラ１６からの制御信号に基づいて、または、ピックアップ２から供給されるトラッキングエラー信号ＳＴＲ、和信号等に基づいて、上述のピックアップ２及びモータ２０に対するサーボ制御動作がなされる。また、上述のトラッキングエラー信号ＳＴＲ、和信号等がサーボ回路３を介して、トラックジャンプ検出回路４に供給される。
【００４５】
衝撃センサ５は、加速度センサが用いられている。この衝撃センサ５によって外部から加えられた振動、衝撃が検知されると、例えば、ハイレベルの衝撃検出信号がトラックジャンプ検出回路４に供給される。
【００４６】
トラックジャンプ検出回路４では、サーボ回路３から供給されるトラッキングエラー信号ＳＴＲ、和信号、また、衝撃センサ５から供給される衝撃検出信号に基づいて、トラックジャンプの有無が判断される。
【００４７】
若し、トラックジャンプの発生が検出されると、例えば、ハイレベルのトラックジャンプ検出信号がレーザコントロール回路１３及びシステムコントローラ１６に、夫々供給される。
【００４８】
また、衝撃或いは衝撃による影響の収束したことが検出されると、例えば、ハイレベルの衝撃収束信号がレーザコントロール回路１３及びシステムコントローラ１６に、夫々供給される。
【００４９】
システムコントローラ１６は、図１に示されるシステム全体の制御を行うコントローラである。このシステムコントローラ１６には、トラックジャンプ検出回路４、アドレス検出回路８、エラー状態検出回路９等の各回路からの信号が供給される。
【００５０】
システムコントローラ１６からは、サーボ回路３、レーザコントロール回路１３、メモリコントローラ１５に対して、制御信号を初めとして各種の信号が供給されるようになされている。
【００５１】
また、このシステムコントローラ１６からは、図示せぬも切替スイッチ１８、１９に制御信号が供給されており、該制御信号によって、切替スイッチ１８、１９の接続状態が制御される。
【００５２】
システムコントローラ１６には、表示部及びキー操作部１７が接続されている。この表示部及びキー操作部１７にはユーザが操作するための各種のキーが設けられており、ユーザにより操作されたキーに対応する信号がシステムコントローラ１６に供給される。
【００５３】
また、このシステムコントローラ１６からは、システムのモードを初めとして各種の状態を表わす文字、図形、記号等に対応する信号が表示部及びキー操作部１７に供給される。これによって、システムの状態がユーザに対し表示部で示されるようになされている。
【００５４】
メモリコントローラ１５は、システムコントローラ１６からの制御信号に基づいて、或いはアドレス検出回路８からのアドレスデータに基づいて、メモリ１４ａ、１４ｂに対し、ライトアドレス及び／またはリードアドレスが供給される。これによって、メモリ１４ａ、１４ｂに対するオーデイオデータの書込み、また、メモリ１４ａ、１４ｂからのオーデイオデータの読出しが制御される。
【００５５】
次いで、図１及び図２を参照して、リトライ処理、交替処理時の動作について説明する。
【００５６】
交替処理、リトライ処理の動作説明に入る前に交替処理、リトライ処理について説明する。
【００５７】
まず、リトライ処理について説明する。
リトライ処理は、失敗が許されない記録を行っている場合に、外部からの衝撃、振動でトラックジャンプを起こした時或いは起こしそうになった時に、既に記録されているデータの破壊を防止すると共に、記録すべきデータを失うことを防止するためになされる処理をいう。
【００５８】
次いで、交替処理について説明する。
交替処理は、記録したデータの品質が悪く長期にわたってのデータの信頼性に不安がある時、或いは光デイスク１のデイスク面１ａに欠陥があると判断される時に、予め設定されている交替エリアに記録データを記録することをいい、再生時のデータの品質を保証するために行うものである。
【００５９】
記録動作〔記録モード〕並びに、該記録動作時に於ける交替処理及びリトライ処理について、図１及び図２を参照して説明する。図２に於いて、縦軸はデイスク面１ａのアドレスを表わし、横軸は時間を表わしている。縦軸は、デイスク面１ａの中心部分から外周側にかけて、交替情報エリア、交替エリア、データエリアの順序で設定されている。
【００６０】
まず、リトライ処理について説明する。図２の例では、ラインＬＯ１が、リトライ処理を説明している。
【００６１】
記録モードに於ける当初の状態として、切替スイッチ１８は、端子１８ａ、１８ｅが接続されており、切替スイッチ１９は、端子１９ｃ、１９ｆが接続されているものとする。
【００６２】
ユーザが記録モードに入るようにキー操作すると、このキー操作に対応する信号が表示部及びキー操作部１７からシステムコントローラ１６に供給される。
【００６３】
システムコントローラ１６では、上述の信号が供給されると、記録モードに設定される。システムコントローラ１６は、レーザコントロール回路１３に記録動作を行うための制御信号を供給し、レーザコントロール回路１３からピックアップ２に制御信号が供給される。これによって、レーザ光の出力が記録可能なレベルにされる。
【００６４】
この時、端子２１から供給されるオーデイオデータは、上述したようにクロスフェーダ１０、切替スイッチ１９、エンコーダ１１を経ることによって、記録データとされる。この記録データは、変調回路１２で変調信号とされた後、レーザコントロール回路１３に供給される。また、この記録モード時に於いて、上述のオーデイオデータは、クロスフェーダ１０から出力されてメモリ１４ｂに供給される。
【００６５】
メモリ１４ｂでは、上述のオーデイオデータが、メモリコントローラ１５によって指定されるライトアドレスに従って、順次、書き込まれる。
【００６６】
レーザコントロール回路１３では、供給される変調信号に基づいて、図示せぬレーザダイオードを駆動する変調駆動信号が形成され、該変調駆動信号がピックアップ２に供給される。
【００６７】
ピックアップ２では、上述の変調駆動信号に基づいて、レーザダイオードが駆動制御される。該レーザダイオードから出力されるレーザ光が光デイスク１のデイスク面１ａに照射される。これによって、光デイスク１のデイスク面１ａにデータの記録が可能な状態とされる。
【００６８】
図２中、時点ｔ０にて記録モードとされ記録動作が開始される。この時点ｔ０では、データエリアの始点のアドレスの位置から、上述のようにデータの記録がなされる。記録されるデータのアドレスは、ラインＬＯ１に示されるように直線的に上昇する。
【００６９】
この記録動作時、デイスク面１ａから反射されるレーザ光がピックアップ２にて検出されて変調信号に変換される。この変調信号がアドレス検出回路８に供給される。
【００７０】
アドレス検出回路８では、上述の変調信号に基づいてアドレスデータが取り出される。そして、アドレスデータはシステムコントローラ１６に供給される。
【００７１】
システムコントローラ１６では、上述のアドレスデータをモニタしている。このアドレスデータを参照しつつ、サーボ回路３を介してピックアップ２に対する各種サーボ制御がなされる。これによって、ピックアップ２の位置が正しく保たれるようになされている。
【００７２】
時点ｔ２にて外部から衝撃或いは振動等が加えられた場合、衝撃センサ５では、例えば、ハイレベルの衝撃検出信号が形成される。この衝撃検出信号は、トラックジャンプ検出回路４に供給される。
【００７３】
また、デイスク面１ａからの反射光に基づいて形成されるトラッキングエラー信号ＳＴＲ、和信号が、ピックアップ２からサーボ回路３を経て、トラックジャンプ検出回路４に供給される。更に、アドレス検出回路８からは、再生されたアドレスデータが、システムコントローラ１６及びメモリコントローラ１５に供給される。
【００７４】
トラックジャンプ検出回路４では、衝撃検出信号、トラッキングエラー信号ＳＴＲ、和信号等に基づいて、トラックジャンプの有無が検出される。若し、トラックジャンプが発生したと判断される場合には、トラックジャンプ検出信号が、上述の衝撃検出信号、トラッキングエラー信号ＳＴＲ、和信号等と共に、レーザコントロール回路１３及びシステムコントローラ１６に供給される。
【００７５】
システムコントローラ１６では、衝撃検出信号、トラッキングエラー信号ＳＴＲ、和信号、アドレスデータの連続性に基づいて、以後の動作を決定する。具体的には、後述するケースの何れに対応するかが判断される。そして、レーザダイオードから出力されるレーザ光のレベルを再生レベルに制御すべく、制御信号がシステムコントローラ１６からレーザコントロール回路１３に供給される。
【００７６】
レーザコントロール回路１３では、トラックジャンプ検出信号及び／または、システムコントローラ１６からの制御信号Ｓｃに基づいて、ピックアップ２のレーザダイオードの出力レベルを再生レベルに落とすべく制御する。従って、時点ｔ２に於いて、記録動作は中断される。
【００７７】
これによって、トラックジャンプが発生しても、所定位置以外に誤まってデータを記録してしまうことを防止でき、また、既に記録されているデータが破壊されることを防止できる。
【００７８】
時点ｔ２に於いて、システムコントローラ１６では、衝撃検出信号、トラッキングエラー信号ＳＴＲ、和信号等〔トラックジャンプ検出信号〕及び／またはアドレスデータの連続性に基づいて、トラックジャンプの発生を知ることができる。
【００７９】
この時、システムコントローラ１６は、アドレス検出回路８から供給されるアドレスデータに基づいて、時点ｔ２に於けるアドレスＡｄ２を記憶する。これと共に、システムコントローラ１６は、メモリコントローラ１５を介してメモリ１４ｂを制御する。即ち、メモリ１４ｂに、時点ｔ２から記録動作が中断されている期間のオーデイオデータを記憶させる。
【００８０】
時点ｔ３に於いて、外部から加えられた衝撃或いは振動等の収束したことが衝撃検出信号、トラッキングエラー信号ＳＴＲ、和信号等に基づいて、トラックジャンプ検出回路４で検出されると、例えば、ハイレベルの衝撃収束信号が形成される。この衝撃収束信号はシステムコントローラ１６に供給される。
【００８１】
システムコントローラ１６では、衝撃収束信号が供給されると、トラックジャン前後に於けるアドレスデータの連続性が保たれるように、サーボ回路３を介してピックアップ２の位置が制御される。
【００８２】
これは、例えば、サーボ回路３の制御によって、図２中、ピックアップ２をトラックジャンプ発生直前のアドレスＡｄ２の位置にまで移動させる。次いで、時点ｔ２〜ｔ３ｂの期間に対応するアドレスＡｄ２〜Ａｄ３分だけ、アドレスデータが連続するようにサーボ制御をかけた状態でピックアップ２を進める。
【００８３】
そして、時点ｔ２〜ｔ３ａの期間は、記録動作を行わず、時点ｔ３ａに至った段階で、システムコントローラ１６は、レーザコントロール回路１３を制御して、レーザダイオードの出力レベルを記録可能なレベルにまで上昇させる。これによって、時点ｔ３ａから、アドレスの連続性を維持した状態で、前述したような通常の記録動作が再開される。
【００８４】
そして、記録動作を継続して行い、時点ｔ６に至ると、ユーザのキー操作によって或いは予め記憶されているプログラムに従って、記録動作が終了される。
システムコントローラ１６が、例えば、時点ｔ６に於いて、記録動作の終了を検出すると、レーザコントロール回路１３及び切替スイッチ１９に制御信号が供給される。
【００８５】
レーザコントロール回路１３では、システムコントローラ１６からの制御信号に基づいて、レーザダイオード２２の出力レベルを低下させて再生レベルとする。これと共に、切替スイッチ１９では、システムコントローラ１６からの制御信号によって、切替スイッチ１９の端子１９ｄ、１９ｆが接続される。
【００８６】
時点ｔ６〜ｔ７の期間にて、システムコントローラ１６は、記憶されているトラックジャンプ発生直前のアドレスＡｄ２にまで、ピックアップ２を移動させるべくサーボ回路３を制御する。
【００８７】
該サーボ回路３は、該時点ｔ７位後、ピックアップ２をトラックジャンプ発生直前のアドレスＡｄ２まで移動させる。従って、時点ｔ８に於いて、ピックアップ２はアドレスＡｄ２、即ち、記録動作の中断された時点ｔ２に対応するアドレスに移動している。
【００８８】
システムコントローラ１６は、メモリコントローラ１５を介して、メモリ１４ｂに保持されている時点ｔ２〜ｔ３に於けるオーデイオデータを読みだすべく制御する。これと共に、システムコントローラ１６は、レーザコントロール回路１３を制御して、レーザダイオードの出力レベルを記録可能なレベルにまで上昇させる。
【００８９】
メモリ１４ｂに保持されているオーデイオデータは、切替スイッチ１９を介してエンコーダ１１に供給されて記録データとされる。該記録データは、変調回路１２にて所定の変調が施され変調信号とされる。そして、該変調信号は、レーザコントロール回路１３にて変調駆動信号駆動信号に変換されてピックアップ２に供給される。
【００９０】
ピックアップ２は、サーボ回路３の制御によって、既にトラックジャンプが発生した時点ｔ２に対応するアドレスＡｄ２の位置に移動している。
【００９１】
ピックアップ２は、時点ｔ２に対応するアドレスＡｄ２から時点ｔ３ｂに対応するアドレスＡｄ３まで、図２中、ラインＬＯ１の破線にて示されるように、アドレスデータが連続する状態で且つサーボ制御がかけられている状態で移動しつつレーザ光をデイスク面１ａに照射する。これによって、デイスク面１ａへのデータの記録〔リトライ記録と称する〕がなされる。
【００９２】
このリトライ記録は、図２に示されるように、時点ｔ８〜ｔ９の期間にわたり、トラックジャンプが発生した時点ｔ２に対応するアドレスＡｄ２から、時点ｔ３ｂに対応するアドレスＡｄ３までなされる。そして、時点ｔ９に至ってリトライ記録が終了する。
【００９３】
この一実施例では、トラックジャンプの発生は１回としているが、これに限定されるものではなく、メモリ１４ｂの容量が許す限り、トラックジャンプが何回発生しても対応が可能である。
【００９４】
ついで、交替処理について説明する。図２の例では、ラインＬＯ２が交替処理について説明している。
この交替処理は、記録モード中に、記録済みデータを再生して記録済みデータの品質をモニタし、この記録済みデータの品質が悪い場合には、記録済みデータを所定のエリアに再度、記録するものである。
【００９５】
前述したように、ピックアップ２は、データを記録するための光学系に加え、記録済みのデータを再生するための光学系が設けられている。
【００９６】
記録済みのデータが、常時、ピックアップ２、復調回路６によって再生され、デコーダ７に供給されている。
【００９７】
デコーダ７では、再生された記録データのエラー訂正符号に基づいて、エラー検出及びエラー訂正がなされる。そして、このエラー検出の結果がエラー状態検出回路９に供給される。
【００９８】
エラー状態検出回路９では、デコーダ７にてなされたエラー検出の結果がモニタされている。エラー検出の結果、所定レベルよりエラーレートが悪い場合には、例えば、ハイレベルの交替処理要求信号がシステムコントローラ１６に供給される。
【００９９】
図２に示される例では、時点ｔ４ｂ〜ｔ５ａまでの期間に記録されたデータのエラーレートが所定レベルより悪化したものとされている。
【０１００】
システムコントローラ１６では、エラー状態検出回路９からハイレベルの交替処理要求信号が出力された時点から所定アドレス遡ったアドレスが記憶される。例えば、図２の例では時点ｔ４ｂに於けるアドレスから所定アドレス遡った時点ｔ４ａに対応するアドレスＡｄ４が記憶される。尚、メモリ１４ｂ内には、少なくとも、この所定アドレス分のデータが格納されているものとする。
【０１０１】
また、システムコントローラ１６は、これと共に、メモリコントローラ１５を介してメモリ１４ｂを制御する。即ち、メモリ１４ｂに格納されているオーデイオデータの内、時点ｔ４ａ以後のオーデイオデータがメモリ１４ｂに保持される。
【０１０２】
そして、時点ｔ５ａ〜ｔ５ｂに於いて、デコーダ７にてなされたエラー検出の結果、エラーレートが所定レベルより良くなると、まず時点ｔ５ａのアドレスＡｄ６が記憶される。また、時点ｔ５ｂにて、交替処理要求信号が、例えば、ローレベルとされる。
【０１０３】
システムコントローラ１６では、交替処理要求信号がローレベルとされた時点ｔ５ｂのアドレスＡｄ５が記憶される。また、システムコントローラ１６は、時点ｔ５ｂに於いて、メモリコントローラ１５を介してメモリ１４ｂを制御し、メモリ１４ｂに於けるオーデイオデータの記録を停止させる。従って、メモリ１４ｂには、時点ｔ４ａ〜ｔ５ｂの期間に於けるオーデイオデータが保持されている。
【０１０４】
前述のように時点ｔ６に至ると、ユーザのキー操作によって或いは予め記憶されているプログラムに従って、記録動作が終了される。
システムコントローラ１６が、例えば、時点ｔ６に於いて、記録終了を検出すると、レーザコントロール回路１３及び切替スイッチ１９に制御信号が供給される。
【０１０５】
レーザコントロール回路１３では、システムコントローラ１６からの制御信号に基づいて、レーザダイオード２２の出力レベルを低下させて再生レベルとする。これと共に、切替スイッチ１９では、システムコントローラ１６からの制御信号によって、切替スイッチ１９の端子１９ｄ、１９ｆが接続される。
【０１０６】
時点ｔ１０〜ｔ１１の期間にて、システムコントローラ１６は、データエリアのアドレスＡｄ４に対応する交替エリア内のアドレスＡｄ１１まで、ピックアップ２を移動させるべくサーボ回路３を制御する。
【０１０７】
該サーボ回路３は、時点ｔ１０以後、ピックアップ２を交替エリア内のアドレスＡｄ１１まで移動させる。
【０１０８】
システムコントローラ１６は、メモリコントローラ１５を介して、メモリ１４ｂに保持されている時点ｔ４ａ〜ｔ５ｂの再記録されるべきオーデイオデータを読みだすべく制御する。これと共に、システムコントローラ１６は、レーザコントロール回路１３を制御して、レーザダイオードの出力レベルを記録可能なレベルにまで上昇させる。
【０１０９】
メモリ１４ｂに保持されているオーデイオデータは、読出された後、切替スイッチ１９を介してエンコーダ１１に供給されて記録データとされる。該記録データは、変調回路１２にて所定の変調が施され変調信号とされる。そして、該変調信号は、レーザコントロール回路１３にて変調駆動信号に変換されてピックアップ２に供給される。
【０１１０】
ピックアップ２は、サーボ回路３の制御によって、既に交替エリア内の所定のアドレスアドレスＡｄ１１に移動している。ピックアップ２は、アドレスＡｄ１１からアドレスＡｄ１２まで、図２中、ラインＬＯ２にて示されるように、アドレスデータが連続する状態で且つサーボ制御がかけられた状態で移動しつつ、レーザ光をデイスク面１ａに照射する。これによって、デイスク面１ａへのデータの記録〔交替記録と称する〕がなされる。そして、時点ｔ１２に至って交替記録が終了する。
【０１１１】
この記録データの再記録が時点ｔ１２にて終了した後、再生時、記録データの復元に必要な情報、例えば、交替アドレス、被交替アドレス等の情報が、図２に示される交替情報エリアのアドレスＡｄ２１〜Ａｄ２２に、時点ｔ１４〜ｔ１５の期間にわたって記録〔交替情報記録と称する〕される。
【０１１２】
この交替情報エリアに対する交替アドレス、被交替アドレス等の情報の記録は、上述の交替記録と同様にしてなされるので、重複する説明を省略する。尚、図２からも明らかなように、交替エリアに対する交替記録、また、交替情報エリアに対する交替情報記録に於いても、記録と並行して再生がなされ、記録済みデータの品質の確認がなされる。
【０１１３】
次いで、再生時について説明する。
再生時は、前述した再生モードの回路動作に従って再生処理がなされるので、詳細な回路動作は省略し、概略のみを説明する。
【０１１４】
まず、交替情報エリアから交替アドレスＡｄ１１、Ａｄ１２、被交替アドレスＡｄ４、Ａｄ５、Ａｄ６等の情報が読みだされる。この交替アドレスＡｄ１１、Ａｄ１２、被交替アドレスＡｄ４、Ａｄ５、Ａｄ６等の情報に従って、該交替アドレスＡｄ１１〜Ａｄ１２に記録されているデータが再生される。
【０１１５】
このデータに、エラー検出及びエラー訂正が施されることによって、オーデイオデータが復元される。その後、該オーデイオデータは、システムコントローラ１６或いはメモリコントローラ１５の制御によって、メモリ１４ａに記憶される。
【０１１６】
その後、システムコントローラ１６及びサーボ回路３の制御に基づいて、ピックアップ２はデータエリアに移動し、該データエリアに於いて、前述したような通常の再生動作が行われる。
【０１１７】
システムコントローラ１６或いはメモリコントローラ１５は、データエリアの再生中、アドレス検出回路８から供給されるアドレスデータを、常時、モニタしている。
【０１１８】
再生されたアドレスが、被交替アドレスＡｄ４に達すると、切替スイッチ１８の接続状態が、システムコントローラ１６によって、制御され切替スイッチ１８の端子１８ｂ、１８ｅが接続される。
【０１１９】
これと共に、システムコントローラ１６は、メモリコントローラ１５を介してメモリ１４ａに保持されている時点ｔ１１〜ｔ１２のオーデイオデータを読出すべく制御する。
【０１２０】
この読みだされるオーデイオデータは、被交替アドレスＡｄ４に記録されているデータに替わるものである。このオーデイオデータは読みださた後、クロスフェーダ１０を経て端子２２から取出される。メモリ１４ａからのオーデイオデータの読みだしは、被交替アドレスＡｄ４〜Ａｄ５の間、継続して行われる。
【０１２１】
システムコントローラ１６では、アドレス検出回路８から供給されるアドレスデータに基づいて、ピックアップ２が被交替アドレスＡｄ６を通過したことを検出すると、切替スイッチ１８の接続状態を制御し、切替スイッチ１８の端子１８ａ、１８ｅを接続する。これによって、被交替アドレスＡｄ５を通過した後のオーデイオデータは、デコーダ７から出力されるオーデイオデータとされる。
【０１２２】
この一実施例では、交替処理は１回としているが、これに限定されるものではなく、メモリ１４ａ、１４ｂの容量が許す限り、何回でも対応が可能である。
【０１２３】
図５乃至図８のフローチャートでは、各種検出信号の状態によってトラックジャンプが発生したか否かを判断している。上述のフローチャートでは、各種検出信号の状態の組合せによって、ケース分けを行い、このケースを表す番号を使用しているので、図３を参照して各ケースについて説明する。
【０１２４】
図３に於いて、トラックジャンプが発生したか否かを判断するための信号としては、トラッキングエラー信号ＳＴＲ、デイスク面１ａからの反射光レベルである和信号、衝撃検出信号、アドレスデータの連続性等が用いられる。以下、上述の信号或いはデータについて、また、信号或いはデータの正常、異常について説明する。
【０１２５】
〔１〕トラッキングエラー異常
トラッキングエラー信号ＳＴＲが通常のレベルより大きくなり、トラバースピークの所定レベル以上になった時、トラックジャンプの危険性が大であると判断する。
【０１２６】
〔２〕トラックジャンプ信号
トラックジャンプした時は、図４に示されるように、トラッキングエラー信号ＳＴＲのピークレベルが、所定のスレッシュホールドレベル＋Ｖｔｈ、−Ｖｔｈを越える現象が発生する。
【０１２７】
このようにトラッキングエラー信号ＳＴＲのピークレベルが、正負双方の所定のスレッシュホールド＋Ｖｔｈ、−Ｖｔｈを越えた時には、トラッキングエラー信号ＳＴＲに異常が発生したと判断される。この場合には、図３に示されるように、例えば、ハイレベルのトラッキング異常信号ＳＡＢが形成される。このトラッキング異常信号ＳＡＢが、トラックジャンプ検出信号、衝撃収束信号の形成に用いられる。
【０１２８】
〔３〕和信号
反射率の低下によって、デイフエクト、即ち、デイスク面１ａの欠陥を検出する。
【０１２９】
〔４〕衝撃センサ５による衝撃検出信号
トラックジャンプの原因となる外部から筐体に加えられる振動・衝撃を加速度センサを用いて検出する。特に、トラッキング方向の加速度を検出する。
【０１３０】
〔５〕アドレスデータの連続性
再生された絶対アドレスデータの連続性を、常時、検出することによって、トラックジャンプを確実に検出することができる。
【０１３１】
以下、図５乃至図８のフローチャートを参照して説明する。
ステップ１０１にて、衝撃センサ５からの衝撃検出信号を初めとして、トラッキングエラー信号ＳＴＲ、和信号、アドレスデータ等が取込まれる。次いで、ステップ１０２に進む。
【０１３２】
ステップ１０２にて、衝撃検出信号、トラッキングエラー信号ＳＴＲ、和信号、アドレスデータの連続性等に異常があるか否かについて判断される。若し、衝撃検出信号、トラッキングエラー信号ＳＴＲ、和信号、アドレスデータの連続性の何れかに異常があればケース２〜９と判断されステップ１０３に進む。また、正常であればケース１と判断されステップ１１１に進む。
【０１３３】
ステップ１０３では、図２に示される各ケースの内、ケース９に該当するか否かついて判断される。ケース９に該当する場合には、ステップ１０４に進み、ケース９に該当しない場合には、ステップ１２１に進む。ケース９は、アドレスデータの連続性に異常が発生した場合である。
【０１３４】
ケース９に該当する場合の処理について説明する。
アドレスデータの連続性に異常が検出された時は、既に記録済みのデータが回復不可能な程、破壊されている恐れが大きい。しかし、回復可能な場合もあり得るので、不連続になったアドレスからデータをメモリ１４ｂに記憶しておき、再度、連続性が保てるところにアクセスした後、記録を再開する。
【０１３５】
記録動作終了時にメモリ１４ｂに記憶したオーデイオデータを記録データとした後に、不連続発生部分から記録しなおす。リトライ処理と同様、再記録動作に於いても不連続が発生する場合には、交替処理を実行する。最初に不連続が発生した時点で、ステップ１０４に於いて、アラームを出しユーザに警告を発し、記録動作を中止〔ＲＥＣ  ＥＮＤ〕する。
【０１３６】
ステップ１２１に於いて、ケース２に該当するか否かついて判断される。ケース２に該当する場合には、ステップ１０１に戻り、ケース２に該当しない場合、即ち、ケース３〜８の場合には、ステップ１２２に進む。
【０１３７】
ケース２は、衝撃センサ５のみ異常を検出した場合である。
ケース２に該当する場合の処理について説明する。
外部より衝撃或いは振動が加えられたが、トラッキングエラー信号ＳＴＲには異常がみられないので、トラックジャンプが発生していないと判断する。従って、ケース２の場合にはステップ１０１に戻り記録動作が続行される。
【０１３８】
ケース３〜８は、トラッキングエラー信号ＳＴＲ、和信号、衝撃センサ５から出力される衝撃検出信号の何れか少なくとも１つが異常と判断される場合である（但し、衝撃センサ５のみ異常を検出した場合を除く）。ケース３〜８の場合には、異常の検出が各種の信号の組合せによって判断されるので、以下、各ケース毎に述べる。
【０１３９】
ケース３の場合、和信号のみに異常の見られる場合であり、デイスク面１ａの欠陥、いわゆるデイフエクトのみ検出された場合である。デイフエクトの場合には、トラッキングエラー信号ＳＴＲに異常が検出できない可能性があるので、取り敢えずステップ１２２にて記録動作を中断する。
【０１４０】
アドレスデータの連続性を確認し、若しアドレスデータの連続性に異常がなければ、ステップ１２４にてリトライ処理のフラグをたてる。若しアドレスデータの連続性に異常があれば、交替処理のフラグをたてる。この後、ステップ１２８に進む。
【０１４１】
ケース４の場合、これは衝撃センサ５が異常を検出したが、トラッキングエラー信号ＳＴＲには異常の見られない場合である。トラッキングエラー信号ＳＴＲに異常の見られないのは、デイフエクトによる場合があるので、取り敢えずステップ１２２にて記録動作を中断する。
【０１４２】
主な原因は外乱と考えられるので、ステップ１２４にてリトライ処理のフラグをたてる。この後、ステップ１２８に進む。
【０１４３】
ケース５の場合、これは、トラッキングエラー信号ＳＴＲにのみ異常のみられる場合である。原因は特定できないが、トラッキングに異常が発生しているので、取り敢えずステップ１２２にて記録動作を中断する。
【０１４４】
ステップ１２４にてリトライ処理のフラグをたてる。この後、ステップ１２８に進む。
【０１４５】
ケース６の場合、これは、外部からの振動、衝撃により、トラッキングエラー信号ＳＴＲ、衝撃センサ５から出力される衝撃検出信号の双方に異常の見られる場合である。トラックジャンプの可能性が高い（或いはトラックジャンプした）ため、取り敢えずステップ１２２にて記録動作を中断する。
【０１４６】
主な原因は外乱と考えられるので、ステップ１２４にてリトライ処理のフラグをたてる。この後、ステップ１２８に進む。
【０１４７】
ケース７の場合、これは、トラッキングエラー信号ＳＴＲ、和信号の双方に異常の見られる場合であり、デイスク面１ａの欠陥、いわゆるデイフエクトが検出された場合である。
【０１４８】
デイフエクトによって、トラックジャンプの可能性が高い（或いはトラックジャンプした）ため、このデータエリアは記録することができない。従って、交替処理のフラグをたてる。この後、ステップ１２８に進む。
【０１４９】
ケース８の場合、これは、外部からの振動、衝撃により、トラッキングエラー信号ＳＴＲ、和信号、衝撃センサ５から出力される衝撃検出信号の全てに異常の見られる場合である。取り敢えずステップ１２２にて記録動作を中断する。
【０１５０】
ステップ１２４にてリトライ処理のフラグをたてる。この後、ステップ１２８に進む。
【０１５１】
ステップ１２８では、衝撃センサ５が正常な状態に復帰したか否かが判断される。正常な状態に復帰しない場合にはステップ１２８に戻り、正常な状態に復帰した場合にはステップ１２９に進む。
【０１５２】
ステップ１２９では、トラッキングエラー信号ＳＴＲ、和信号、衝撃センサ５からの衝撃検出信号、アドレスデータ等が初期状態にリセットされる。この後、ステップ１０１に戻る。
【０１５３】
ステップ１０２にてケース１と判断された場合、このケース１は、衝撃検出信号、トラッキングエラー信号ＳＴＲ、和信号、アドレスデータの連続性の全てが正常と判断されるケースである。また、この場合に於いて、リトライ処理のフラグ或いは交替処理のフラグが立てられている時は、立てられているフラグに対応する処理がなされる。以下、このケース１に該当する場合の処理について説明する。
【０１５４】
ステップ１１１では、ユーザから記録動作の終了が指示されたか否か或いは、予め記憶されているプログラムに従って記録動作の終了に該当するか否かが判断される。若し、終了でない場合には、記録動作を継続するものとしてステップ１０１に戻る。また、記録動作の終了と判断される場合には、フラグを参照してリトライ処理、交替処理を行うためにステップ１１２に進む。
【０１５５】
ステップ１１２では、リトライ処理のフラグが立っているか否かが判断される。若し、リトライ処理のフラグが立っている場合には、ステップ１１３に進む。また、若し、リトライ処理のフラグが立っていない場合には、ステップ１１６に進む。
【０１５６】
ステップ１１３では、リトライ処理が実行される。その後、ステップ１１４に進む。
【０１５７】
ステップ１１４では、リトライ処理がＮ回繰り返して実行されたか否かが判断される。若し、リトライ処理の回数がＮ回に達しない場合には、ステップ１１２に戻る。
【０１５８】
書き換え可能な光デイスク或いは光磁気デイスクの場合には、Ｎ回のリトライ処理で同じ結果が出たか否かが判断される。Ｎ回のリトライ処理で同じ結果が出た場合には、光デイスク１のデイスク面１ａに異常があると判断されるので、ステップ１１５にて交替処理がなされる。この後、ステップ１１２を経てステップ１１６に進む。
【０１５９】
また、書き換え不可能な光デイスクの場合には、リトライ処理の結果に応じて、交替処理が必要か否かが判断される。交替処理が必要と判断された場合には、ステップ１１５にて交替処理がなされる。この後、ステップ１１２を経てステップ１１６に進む。
【０１６０】
ステップ１１６では、交替処理フラグが立っているか否かが判断される。交替処理のフラグが立っている場合にはステップ１１７に進む。また、交替処理のフラグが立っていない場合には記録動作が終了〔ＲＥＣ  ＥＮＤ〕となる。
【０１６１】
ステップ１１７では、交替処理が実行される。即ち、交替記録と、交替情報エリアの更新がなされる。この後、ステップ１１６を経て記録動作が終了する。
【０１６２】
図２に示される交替処理及びリトライ処理の場合には、第１回目の処理フロー実行時にステップ１２１〜１２９に於いて、リトライ処理のフラグが立てられ、第２回目の処理フロー実行時にステップ１２１〜１２９に於いて、交替処理のフラグが立てられる。
【０１６３】
そして、第３回目の処理フロー実行時に、記録動作の終了が指示されると、処理フローは、ステップ１１１〜１１７に移る。この場合、リトライ処理及び交替処理のフラグが立てられているので、ステップ１１１〜１１７に於いて、リトライ処理、交替処理が実行される。
【０１６４】
この一実施例では、メモリ１４ａ、１４ｂの２つに分けて説明しているがこれに限定されるものではなく、１つのメモリを使用しても良い。
【０１６５】
１つのメモリを使用する場合に於いて、既に交替処理の施されたデータを更新する時は、メモリ上のデータの当該アドレスのデータを書き換え、新たに交替処理が必要な時には、メモリに直接、記憶させてしまうことによって、光デイスク１の取出し、電源のオン／オフがなされるまでに於ける再生時の動作を簡略化することが可能となる。
【０１６６】
この一実施例では、記録データによって、レーザダイオードの出力を変調する記録方式について説明しているが、これに限定されるものではなく、例えば、記録データで磁界を変調する光磁気デイスクの記録装置に於いても適用が可能である。
【０１６７】
この一実施例では、外部からの衝撃、振動等により、トラックジャンプが発生したとしても、トラックジャンプ検出回路４及び／またはシステムコントローラ１６によるトラックジャンプの検出と、トラックジャンプ検出回路４及び／またはシステムコントローラ１６によるレーザコントロール回路１３を介してのレーザ光の出力レベルの制御によって、ピックアップ２のレーザダイオードの出力レベルを再生レベルに低下させるので、既に記録済みのデータエリアに誤ってデータを記録することを防止でき、既に記録されているデータを破壊してしまうことを防止できる。
【０１６８】
また、トラックジャンプが発生し記録動作が中断されている期間〔時点ｔ２〜ｔ３ａ〕のオーデイオデータは、システムコントローラ１６及び／またはメモリコントローラ１５の制御によってメモリ１４ｂに保持されているので、オーデイオデータが連続して供給されるにもかかわらず失われることが防止される。
【０１６９】
更に、振動、衝撃等が収束した後、システムコントローラ１６及び／またはサーボ回路３の制御によって、ピックアップ２がアドレスデータの連続性を維持した状態で位置制御されているので、記録されるべきデータは、時点ｔ２に対応するアドレスＡｄ２から時点ｔ３ｂに対応するＡｄ３迄の間でアドレスデータの連続性を維持した状態で記録（リトライ記録）されており、再生することも容易である。
【０１７０】
また、この一実施例では、オーデイオデータのように連続的に供給されるデータは記録中、常時、エラー状態検出回路９にて記録状態の品質がモニタされており、もし記録済みのデータの品質が悪いと判断された場合には、交替処理要求信号が出力され、該交替処理要求信号に基づいて、品質が悪いと判断された期間〔時点ｔ４ｂ〜ｔ５ａ〕と、その前後をも含めた期間〔時点ｔ４ａ〜ｔ５ｂ〕のオーデイオデータが、システムコントローラ１６及びメモリコントローラ１５の制御によってメモリ１４ｂに保持され、交替処理されるので、オーデイオデータが連続して供給されるにもかかわらずオーデイオデータを失なうことが防止され、また、記録したデータの信頼性、品質が向上する。
【０１７１】
更に、被交替アドレス、交替アドレス等の情報が交替情報エリアに記録されているので、再生時に記録データの復元を容易に行なえ、更に、交替処理のために高速アクセスの可能なシステムとする必要もない。
【０１７２】
【発明の効果】
請求項１、請求項２または請求項３にかかる発明では、トラックジャンプが検出された時には、外部から加えられた衝撃、振動等の影響が収束し少なくとも光デイスクのデイスク面への記録動作が可能になりディスク面に信号を記録すべき適正状態になるまで入力される信号が記憶手段に保持され、そして、光デイスクのデイスク面への記録動作が可能になった時には記憶手段に保持されている信号が読出され、該信号が本来、記録されるべきデイスク面の所定のエリアに記録されるので、トラックジャンプが発生したとしても、既に記録済みのデータエリアに誤ってデータを記録することを防止でき、既に記録されているデータを破壊してしまうことを防止できるという効果がある。
【０１７３】
また、トラックジャンプが発生し記録動作が中断されている期間のオーデイオデータは、記憶手段に保持されているので、オーデイオデータは連続して供給されるにもかかわらず失われることを防止できるという効果がある。
【０１７４】
更に、外部から加えられた衝撃、振動等による影響が収束した後に、記録されるデータは、アドレスデータの連続性を維持した状態で記録されているので、再生することも容易であるという効果がある。更にまた、連続して入力される入力信号の記録が終了してから、記憶手段に保持されている信号が読み出され本来記録されるべき位置に記録されるため、記録中に外部から加えられた衝撃、振動等による影響が生じても、連続して入力される入力信号について、記録動作を連続的に行うことができると共に、記録処理中になされるディスクのアドレス制御やメモリ制御などが容易であるという効果がある。
【０１７５】
請求項１、請求項４または請求項５にかかる発明では、デイスク面への信号の記録と並行してデイスク面に記録された信号を再生し、再生されたデータに基づいて、データの再記録が必要か否かが制御手段によって判断され、若し、データの再記録が必要と判断された場合には再記録すべきデータを記憶手段にて保持し、その後、再記録すべきデータが所定のエリアに記録されるので、オーデイオデータが連続して供給されるにもかかわらずオーデイオデータが失われることを防止できるという効果がある。
【０１７６】
また、再記録の必要なデータは必ず再記録されるので、記録されたデータの信頼性、品質を向上させることができるという効果がある。
【０１７７】
そして、被交替アドレス、交替アドレス等の情報が交替情報エリアに記録されているので、再生時に記録データの復元を容易に行なえるという効果があり、更に、交替処理のために高速アクセスの可能なシステムとする必要がないという効果がある。更にまた、ディスク面へ信号の記録と並行してなされるディスク面に記録された信号の再生に基づきデータの再記録が必要であるとされても、入力信号の記録が終了してから、記憶手段に保持されている信号が読み出され交替領域に記録されるため、記録中に再記録が必要であると判断されても、連続して入力される入力信号について、記録動作を連続的に行うことができると共に、記録処理中になされるディスクのアドレス制御やメモリ制御などが容易であるという効果がある。
【図面の簡単な説明】
【図１】この発明の一実施例の構成を示すブロック図である。
【図２】交替処理、リトライ処理の説明に用いる説明図である。
【図３】各ケースに於ける各種信号或いはデータの異常の有無及び処理内容を説明するための説明図である。
【図４】トラッキングエラー信号について説明する説明図である。
【図５】一実施例の処理を示すフローチャートである。
【図６】一実施例の処理を示すフローチャートである。
【図７】一実施例の処理を示すフローチャートである。
【図８】一実施例の処理を示すフローチャートである。
【符号の説明】
１  光デイスク
１ａ  デイスク面
２  ピックアップ
３  サーボ回路
４  トラックジャンプ検出回路
５  衝撃センサ
６  復調回路
７  デコーダ
８  アドレス検出回路
９  エラー状態検出回路
１１  エンコーダ
１２  変調回路
１３  レーザコントロール回路
１４ａ、１４ｂ  メモリ
１５  メモリコントローラ
１６  システムコントローラ
１８、１９  切替スイッチ
【図１】
0003622986.tif 000002
【図２】
0003622986.tif 000003
【図３】
0003622986.tif 000004
【図４】
0003622986.tif 000005
【図５】
0003622986.tif 000006
【図６】
0003622986.tif 000007
【図７】
0003622986.tif 000008
【図８】
0003622986.tif 000009